(57)【要約】【課題】ワンボードコンピュータなどの平板状に構成された電子機器において、手によって把持することが容易となされ、屋外や車両への乗車中に使用しても落下させるおそれがないようにする。【解決手段】全体として平板状に構成された電子機器であって、平板状に構成され電子部品を収納した外筐体１と、外筐体１の一面に設けられたディスプレイ部２と、ディスプレイ部２の占める領域の外の領域に外筐体の一面から他面に貫通して形成された少なくとも一の保持孔３とを備え、保持孔３は、使用者の指が挿通され得る内径を有している。【選択図】図１
2012022431.tif 000002
【特許請求の範囲】
【請求項１】
全体として平板状に構成された電子機器であって、
平板状に構成され電子部品を収納した外筐体と、
前記外筐体の一面に設けられたディスプレイ部と、
前記ディスプレイ部の占める領域の外の領域に、前記外筐体の一面から他面に貫通して形成された少なくとも一の保持孔と
を備え、
前記保持孔は、使用者の指が挿通され得る内径を有している
ことを特徴とする電子機器。
【請求項２】
前記保持孔は、内径が２０ｍｍ以上である
ことを特徴とする請求項１記載の電子機器。
【発明の詳細な説明】
【技術分野】
【０００１】
本発明は、ワンボード型のパーソナルコンピュータなどの電子機器に関する。
【背景技術】
【０００２】
従来、パーソナルコンピュータ等の電子機器においては、特許文献１に記載されているように、文字データを入力するためのキーボードを備えない、いわゆるワンボード型のものが提案されている。ワンボード型のパーソナルコンピュータ（以下、「ワンボードコンピュータ」という。）は、全体として四角形の平板状に構成されており、一面側のほぼ全面がディスプレイ部となっている。このようなワンボードコンピュータにおいては、文字データの入力は、ディスプレイ部に表示されるキーボード（いわゆるソフトウェアキーボード）を用いて行うようになっている。
【先行技術文献】
【特許文献】
【０００３】
【特許文献１】特開平０５−２３３５５５号公報
【発明の概要】
【発明が解決しようとする課題】
【０００４】
ところで、前述のようなワンボードコンピュータは、屋内における使用のみならず、屋外や、電車や自動車などの車両への乗車中における使用を予想して提案されているものである。
【０００５】
ところが、ワンボードコンピュータは、Ｂ５サイズやＡ４サイズに構成されており、携帯電話のように片手の手中に収めて保持することができない。そして、ワンボードコンピュータは、四角形の平板状に構成されているため、手によって把持する箇所がない。このようなワンボードコンピュータは、屋内において机上に置いて使用する場合には問題がないが、屋外や車両への乗車中には、手によって把持できないと落下させてしまうおそれがあり、問題である。
【０００６】
そこで、本発明は、前述の実情に鑑みて提案されるものであって、ワンボードコンピュータなどの平板状に構成された電子機器において、手によって把持することが容易となされ、屋外や車両への乗車中に使用しても落下させるおそれのない電子機器を提供することを目的とする。
【課題を解決するための手段】
【０００７】
前述の課題を解決するため、本発明に係る電子機器は、以下の構成を有するものである。
【０００８】
〔構成１〕
全体として平板状に構成された電子機器であって、平板状に構成され電子部品を収納した外筐体と、外筐体の一面に設けられたディスプレイ部と、ディスプレイ部の占める領域の外の領域に外筐体の一面から他面に貫通して形成された少なくとも一の保持孔とを備え、保持孔は、使用者の指が挿通され得る内径を有していることを特徴とするものである。
【０００９】
〔構成２〕
構成１を有する電子機器において、保持孔は、内径が２０ｍｍ以上であることを特徴とするものである。
【発明の効果】
【００１０】
構成１を有する本発明に係る電子機器においては、ディスプレイ部の占める領域の外の領域に外筐体の一面から他面に貫通して形成された少なくとも一の保持孔とを備えており、保持孔は、使用者の指が挿通され得る内径を有しているので、この保持孔に使用者が指を挿通させることによって、確実に保持することができる。
【００１１】
構成２を有する本発明に係る電子機器においては、保持孔は、内径が２０ｍｍ以上であるので、この保持孔に使用者が容易に指を挿通させることができる。
【００１２】
すなわち、本発明は、ワンボードコンピュータなどの平板状に構成された電子機器において、手によって把持することが容易となされ、屋外や車両への乗車中に使用しても落下させるおそれのない電子機器を提供することができるものである。
【図面の簡単な説明】
【００１３】
【図１】本発明に係る電子機器の構成を示す平面図である。
【図２】本発明に係る電子機器の構成を示す６面図である。
【発明を実施するための形態】
【００１４】
以下、本発明を実施するための形態について、図面を参照して詳細に説明する。
【００１５】
図１は、本発明に係る電子機器の構成を示す平面図である。
【００１６】
図２は、本発明に係る電子機器の構成を示す６面図である。
【００１７】
本発明に係る電子機器は、全体として平板状に構成された電子機器であって、図１及び図２に示すように、平板状に構成された外筐体１を備え、この外筐体１内に電子部品を収納して構成されている。この電子機器は、いわゆるワンボードコンピュータであって、外筐体１内に収納された電子部品が構成する電子回路により、入力処理、計算処理、出力処理を行うとともに、種々のインターネット回線への接続処理、送受信処理を行うように構成されている。
【００１８】
外筐体１は、例えば、Ｂ５サイズやＡ４サイズの四角形の平板状に構成されている。この外筐体１の一面には、ほぼ全面に亘ってディスプレイ部２が設けられている。このディスプレイ部２は、液晶表示デバイスや、有機ＥＬデバイスなど、種々の表示デバイスからなり、外筐体１内に収納された電子回路に制御されて、この電子回路の出力する種々の情報を表示するようになっている。
【００１９】
また、ディスプレイ部２は、いわゆるタッチパネルにもなっており、電子回路に対する入力デバイスにもなっている。すなわち、このディスプレイ部２には、電子回路の制御によりソフトウェアキーボードが表示されるようになっている。このソフトウェアキーボードに対する入力操作にしたがって、電子回路には、入力信号が入力される。なお、ソフトウェアキーボードは、アルファベットやカナ文字に対応した複数のキーをディスプレイ部２に表示して、これらキーに対する接触操作（タッチ）に応じて、電子回路への入力を行うものである。
【００２０】
また、外筐体１の一面には、スイッチ、副表示ランプ、スピーカー、または、マイク４が設けられている。スイッチ４は、この電子機器の電源の投入や、その他の操作を行うためのスイッチである。副表示ランプ４は、ＬＥＤなどの発光素子を用いた一、または、複数の表示灯であって、この電子機器の電源の状態（電源が投入されていること）や、インターネット回線への接続状況や電波状況など、種々の情報を、点灯、または、点滅によって表示するものである。スピーカー４は、この電子機器から出力される音響信号を再生するものである。マイク４は、この電子機器に音響信号を入力するものである。
【００２１】
そして、この電子機器においては、ディスプレイ部２の占める領域の外の領域に、外筐体１の一面から他面に貫通して形成された少なくとも一の保持孔３が設けられている。この保持孔３は、この電子機器の使用者の指が挿通され得る内径を有している。すなわち、この電子機器の使用者は、保持孔３に手指を挿通することによって、この電子機器の外筐体１を確実に保持することができ、この電子機器を屋外や車両への乗車中に使用する場合にも、落下させることを防止することができる。
【００２２】
保持孔３は、内径が２０ｍｍ以上であることが望ましい。保持孔３の内径を２０ｍｍ以上とすることにより、使用者は、この保持孔３に容易に指を挿通させることができる。
【００２３】
保持孔３は、外筐体１の四隅部にそれぞれ１個ずつを形成して、計４個を設けることが望ましいが、外筐体１の四隅部のうちのいずれかの３つの隅部にそれぞれ１個ずつを形成して、計３個を設けてもよい。さらに、保持孔３は、外筐体１の一側側のみの両隅部に計２個を設けてもよいし、外筐体の対角線上となる隅部に計２個を設けてもよいし、これらのうちのいずれかの１箇所のみに１個を設けてもよい。
【００２４】
なお、保持孔３は、使用者の手指を挿通させることのみならず、保持紐（ストラップ）を取付けるために使用することもできる。この場合には、使用者は、保持紐を手に巻き付けておくことによって、電子機器の落下を防止することができる。
【００２５】
この電子機器において、平板状の外筐体１は、主面部の形状が四角形であることに限定されない。外筐体１の主面部は、四角形の他、円形や三角形や、その他種々の形状であってもよい。この場合においても、保持孔３は、ディスプレイ部２の占める領域の外の領域に、外筐体１の一面から他面に貫通して、一、または、複数が設けられる。
【産業上の利用可能性】
【００２６】
本発明は、ワンボード型のパーソナルコンピュータなどの電子機器に適用される。
【符号の説明】
【００２７】
１  外筐体
２  ディスプレイ部
３  保持孔
４  スイッチ、副表示ランプ、スピーカー、または、マイク
【図１】
2012022431.tif 000003
【図２】
2012022431.tif 000004